(57)【特許請求の範囲】
【請求項１】
児を収容するための児収容室内へ供給される供給空気の通路内に該供給空気を循環させるための送風機構を備える保育器であって、前記送風機構は、前記通路に配置された送風ファンと、前記通路の底面に埋め込まれたモータとを備え、該モータは、ロータ軸が通路の底面から突出して設けられており、前記送風ファンには、前記通路内に突出するロータ軸に着脱可能に嵌合する筒状部が設けられており、
前記筒状部の先端部には、その筒状部を複数の円弧形状部に分割する分割溝が長さ方向に沿って形成され、これら円弧形状部を外方から内方に向けて付勢する弾性変形可能な締付リング部材が設けられていることを特徴とする保育器。
【発明の詳細な説明】
【技術分野】
【０００１】
本発明は、児を収容する児収容室内の温度環境を制御する機能を有する保育器に関するものである。
【背景技術】
【０００２】
児を外気から隔離して最適な環境で保護育成するために、保育器では、空調機構の作動により外気を濾過して保育器内部に取り込んで児収容室内の換気を行うとともに、ヒータ機構で空気を温めながら循環させて児収容室内の温度環境を維持するようにしている。そして、その空気の循環の流れは、特許文献１に開示されているように、保育器内に配置した送風ファン等の送風機構により発生させられる。
【先行技術文献】
【特許文献】
【０００３】
【特許文献１】特開２００１‐７０３６８号公報
【発明の概要】
【発明が解決しようとする課題】
【０００４】
ところで、保育器においては、児収容室内を衛生的に保つために、児収容室内だけでなく、空調機構も含めて衛生に保たなくてはならない。そのため、児収容室内に清拭及び消毒を行うとともに、空調機構を構成する送風機構等も清拭及び消毒を行う必要がある。しかし、送風機構（送風ファン）は保育器に取り付けられているため、保育器内の構造が複雑になり清拭及び消毒が行い難く、清拭及び消毒にかかるオペレータの負担が大きい。
そこで、オペレータの負担軽減のために、作業性の向上が望まれている。
【０００５】
本発明は、このような事情に鑑みてなされたものであって、児収容室内の衛生を維持するための清拭及び消毒が容易に行え、作業性を向上させることができる保育器を提供することを目的とする。
【課題を解決するための手段】
【０００６】
本発明は、児を収容するための児収容室内へ供給される供給空気の通路内に該供給空気を循環させるための送風機構を備える保育器であって、前記送風機構は、前記通路に配置された送風ファンと、前記通路の底面に埋め込まれたモータとを備え、該モータは、ロータ軸が通路の底面から突出して設けられており、前記送風ファンには、前記通路内に突出するロータ軸に着脱可能に嵌合する筒状部が設けられており、前記筒状部の先端部には、その筒状部を複数の円弧形状部に分割する分割溝が長さ方向に沿って形成され、これら円弧形状部を外方から内方に向けて付勢する弾性変形可能な締付リング部材が設けられていることを特徴とする。
【０００７】
送風ファンを、モータのロータ軸に着脱可能に取り付けているので、清拭及び消毒を行う際には、送風ファンを通路内から取り外すことができる。したがって、送風ファンの清拭及び消毒を容易に行うことができる。また、送風ファンを取り外した後の通路には、ロータ軸のみが突出して設けられているだけであり、ロータ軸及び通路内の清拭及び消毒も容易である。また、清拭及び消毒の際に、モータ自体を取り外す必要がないため、作業性を向上させることができる。
【０００９】
送風ファンとロータ軸とは、筒状部の先端部のみで締付リング部材により付勢された状態であるので、送風ファンの着脱を容易に行うことができ、作業性を向上させることができる。
【発明の効果】
【００１０】
本発明の保育器によれば、送風ファンを容易に着脱することができ、児収容室内の衛生を維持するための清拭及び消毒が容易に行えるので、作業性を向上させることができる。
【図面の簡単な説明】
【００１１】
【図１】本発明の一実施形態の保育器における送風機構を説明する斜視図であり、（ａ）が通路を露出させた状態であり、（ｂ）が中床を被せた状態である。
【図２】図１（ｂ）のＡ‐Ａ線に沿う断面図である。
【図３】送風機構の構成を説明する斜視図である。
【図４】送風ファンを保育器から取り外した状態を説明する斜視図である。
【図５】送風ファンを説明する斜視図である。
【図６】図５に示す送風ファンの（ａ）が上面図、（ｂ）が（ａ）のＢ‐Ｂ線に沿う断面図である。
【図７】保育器の全体斜視図である。
【図８】保育器の左側処置扉を正面視した正面図である。
【図９】図８に対する右側面図である。
【図１０】図８に示す状態から左側処置扉を開けた状態を示す正面図である。
【図１１】図７に示す状態からキャノピー及び加熱器を上昇させた状態を示す斜視図である。
【発明を実施するための形態】
【００１２】
以下、本発明の保育器の一実施形態について説明する。
［保育器の全体構成］
保育器１は、図７〜図１０に全体を示したように、キャスター２により移動自在な架台３と、この架台３の上に垂直に立設された支柱４と、この支柱４の上端に設けられたフレーム５と、このフレーム５の上に設置された基台６と、この基台６の上に設けられ児収容室７を囲むフード８と、フレーム５の一端部でフード８の側方位置に垂直に設けられた２本のガイド柱９，１０と、これらガイド柱の一方（ガイド柱１０）の上端に設けられた加熱器１１とを備えており、ガイド柱の他方（ガイド柱９）の上端には、フード８の天井を構成するキャノピー（天蓋）１２が取り付けられている。
支柱４は内部にフレーム５を上下移動する昇降機構を内蔵しており、架台３の側部に、昇降機構を操作するためのペダル１３が設けられている。
【００１３】
フード８は、児を寝かせる臥床台１５が設置される床板１６と、児の左右側に配置される左側処置扉１７及び右側処置扉１８と、児の足側に配置される足側処置扉１９と、児の頭側に配置される頭側処置扉２０と、これら左右側処置扉１７，１８、足側処置扉１９及び頭側処置扉２０により囲まれた児収容室７の上方を閉塞するキャノピー１２とにより、ほぼ直方体状に構成される。左側処置扉１７、右側処置扉１８、足側処置扉１９、頭側処置扉２０及びキャノピー１２は、ほぼ全体が透明樹脂によって構成されており、外部から児収容室７内の児を目視確認できる。
また、図７〜図１０ではキャノピー１２を下降させてフード８を閉じた状態、図１１はキャノピー１２を上昇させて児収容室７の上方を開放した状態を示している。また、この図１１においては、加熱器１１も上昇させ、児収容室７を加熱した状態を示している。
このように、この保育器１は、図７〜図１０に示す閉鎖型保育器、及び図１１に示す開放型保育器の両方の形態の機能を有している。
【００１４】
各処置扉１７〜２０のうち、頭側処置扉２０は、児収容室７の頭側に立設した垂直姿勢に維持される。これに対して、左右側処置扉１７，１８及び足側処置扉１９は、その下端部が基台６に対して水平な軸（図示略）を中心に揺動自在に取り付けられている。閉鎖型保育器として使用する場合は、各処置扉１７〜１９とも閉鎖した状態とされ、児のケアのために左右側処置扉１７，１８を開閉する。図９は閉鎖時に左側処置扉１７を回動させて、児収容室７の一側方を開放状態としている。開放型保育器として使用する場合は、左側処置扉１７、右側処置扉１８及び足側処置扉１９の三方を開閉することができる。
【００１５】
さらに、左側処置扉１７、右側処置扉１８及び足側処置扉１９には手入れ窓ユニット２５，２６が設けられ、閉鎖型保育器として使用する際に、処置扉１７〜１９を起立させた状態のまま手入れ窓２７を手入れ扉２８，２９により開閉することができるようになっている。頭側処置扉２０には、ケーブルやチューブ等を挿通させるためのスリットを有するグロメット部材３０が取り付けられている。
また、児収容室７内の床板１６の上には、児を載せる臥床台１５が設けられている。この臥床台１５は、長さ方向の中央部が水平な軸（図示略）により揺動自在に支持されるとともに、頭側の一端部が昇降機構３１に支持され、この一端部を持ち上げることにより、水平方向に対して傾斜した姿勢に保持できるようになっている。その昇降機構３１は、フード８の外側に設けられる。
【００１６】
ガイド柱９，１０は、同軸上にロッド３２が収容され、このロッド３２を上下移動させる昇降機構が内蔵されている。キャノピー１２は、ガイド柱９のロッド３２の上端に取り付けられており、その下降位置で各処置扉１７〜２０の上端に当接して児収容室７を閉鎖し、上昇位置では、図１１に示すように、処置扉１７〜２０から児の処置のための十分な間隔を明けて退避できるようになっている。加熱器１１は、他方のガイド柱１０のロッド（図には見えないが、図１１のガイド柱９と同様に設けられる）の上端に水平な軸３３を中心に回動可能に取り付けられており、その下降位置では、図７等に示すように、ガイド柱１０とほぼ平行な垂直方向に折り畳まれた収納姿勢とされ、上昇位置では、垂直方向に対して所定の角度に起こされて児収容室７に上方から熱線を供給する加熱姿勢とされる。
【００１７】
［送風機構の構成］
図１及び図２は、基台６に取り付けられた送風機構７１及びヒータ機構４１を示している。送風機構７１は、児収容室７内への供給空気の流れを発生させるものであり、ヒータ機構４１により児収容室７内への供給空気を温めて供給することで、児収容室７内の温度環境を制御することができる。なお、図１（ａ）は、図１（ｂ）に示す中床６５及びファンカバー６７を取り外して通路６１の上方を開放し、送風機構７１及びヒータ機構４１を露出させた状態を示している。
【００１８】
供給空気の通路６１は、図１（ａ）に示すように、基台６の中央付近に、その基台６の上面６２よりも深く形成されている。そして、送風機構７１及びヒータ機構４１は、供給空気の通路６１内に配置され、実線矢印で示すように、送風機構７１によって通路６１内に供給空気を流しながら、ヒータ機構４１により供給空気を温めて、児収容室７内へ供給する構成とされている。また、供給空気は、外気取入口（図示略）から流入口６６を経由して保育器１の内部に取り込まれた外気（図に示す破線矢印）、及び児収容室７内からの循環空気（図に示す実線矢印）が混合されて児収容室７内に供給されるようになっている。
【００１９】
なお、基台６の上面６２が中床６５で覆われた状態では、この上面６２と中床との間には隙間が設けられ、通路６１内を通過した供給空気は、図１（ａ）に示す実線矢印のように児収容室７の左右側に送風される。そして、児収容室７の左側処置扉１７及び右側処置扉１８は、二重壁構造の内壁と外壁とを備える構成とされており、これら内壁と外壁との間に、通路６１内から送風される供給空気を下方から上方に向けて流して児収容室７内に供給するようになっている。
【００２０】
送風機構７１は、図２から図４に示すように、通路６１に配置されたシロッコファン８１（本発明でいう、送風ファン）と、通路６１の底面に埋め込まれた状態で取り付けられるモータ９１とから構成される。
モータ９１は、図３に示すように、ベース板９３の下面にステータ、ロータ等を有するモータユニットが固定され、ベース板９３を貫通してロータ軸９２がベース板９３の上方に突出して設けられている。そして、モータ９１は、ベース板９３によって通路６１の底面に固定され、ロータ軸９２は、通路６１の底面から通路６１内に突出して設けられている。
【００２１】
シロッコファン８１は、図５及び図６に示すように、円盤状のベース部８６の外周部分に、複数の送風羽根が立設された筒状羽根部８７が形成されたものであり、ベース部８６の中央部には、通路６１内に突出するロータ軸９２に、着脱可能に嵌合する筒状部８２が設けられている。
また、筒状部８２の先端部には、その筒状部８２を複数の円弧形状部８４に分割する分割溝８３が長さ方向に沿って形成されており、これら円弧形状部８４を外方から内方に向けて付勢する弾性変形可能な締付リング部材８５が設けられている。締付リング部材８５は、帯状の金属片を丸めて両端部を突き合わせてなるものであり、円弧形状部８４により構成される筒状部分の外径より小さい内径に形成され、筒状部８２の先端に取り付けられた状態では、円弧形状部８４を半径方向内方に向けて付勢する。したがって、ロータ軸９２に筒状部８２を嵌合させた状態では、円弧形状部８４がロータ軸９２の先端部を圧迫するように付勢されるようになっている。また、締付リング部材８５は、シロッコファン８１に取り付けた状態のまま、シロッコファン８１とロータ軸９２との着脱を行えるようになっており、締付リング部材８５の筒状部８２への装着後は、シロッコファン８１と締付リング部材８５とを一体として用いることができるようになっている。
【００２２】
このように、シロッコファン８１を、モータ９１のロータ軸９２に着脱可能に取り付けているので、清拭及び消毒を行う際には、シロッコファン８１を通路６１内から取り外すことができ、シロッコファン８１の清拭及び消毒を容易に行うことができる。また、シロッコファン８１を取り外した後の通路６１には、ロータ軸９２のみが突出して設けられているだけであり、ロータ軸９２及び通路６１内の清拭及び消毒も容易に行うことができる。さらに、清拭及び消毒の際に、モータ９１自体を取り外す必要がないため、作業性を向上させることができる。
また、シロッコファン８１とロータ軸９２とは、筒状部８２の先端部に取り付けた締付リング部材８５により付勢する構成としたので、簡単な構成でシロッコファン８１の着脱を容易に行うことができ、作業性を向上させることができる。
【００２３】
なお、本発明は前記実施形態の構成のものに限定されるものではなく、細部構成においては、本発明の趣旨を逸脱しない範囲において種々の変更を加えることが可能である。
【符号の説明】
【００２４】
１  保育器
２  キャスター
３  架台
４  支柱
５  フレーム
６  基台
７  児収容室
８  フード
９，１０  ガイド柱
１１  加熱器
１２  キャノピー
１３  ペダル
１５  臥床台
１６  床板
１７  左側処置扉
１８  右側処置扉
１９  足側処置扉
２０  頭側処置扉
２５，２６  手入れ窓ユニット
２７  手入れ窓
２８，２９  手入れ扉
３０  グロメット部材
３１  昇降機構
３２  ロッド
３３  軸
４１  ヒータ機構
６１  通路
６２  上面
６５  中床
６６  外気流入口
６７  ファンカバー
７１  送風機構
８１  シロッコファン
８２  筒状部
８３  分割溝
８４  円弧形状部
８５  締付リング部材
８６  ベース部
８７  筒状羽根部
９１  モータ
９２  ロータ軸
９３  ベース板
【図１】
0005945454.tif 000002
【図２】
0005945454.tif 000003
【図３】
0005945454.tif 000004
【図４】
0005945454.tif 000005
【図５】
0005945454.tif 000006
【図６】
0005945454.tif 000007
【図７】
0005945454.tif 000008
【図８】
0005945454.tif 000009
【図９】
0005945454.tif 000010
【図１０】
0005945454.tif 000011
【図１１】
0005945454.tif 000012